(57)【要約】    【構成】  携帯端末用充電器１０は、携帯端末１２が備える二次電池２０の充電に用いられる充電器であり、クレイドル３０およびケーシング３６を備えている。クレイドル３０は、二次電池２０に電力を供給するためのコネクタ３４を有しており、このコネクタ３４が携帯端末１２の充電端子２２を接続される。また、ケーシング３６は、上下に伸縮自在な中空箱状に形成され、ケーシング３６の易伸縮部４２を上下に伸ばした状態では、ケーシング３６の内部に携帯端末１２を収容可能な空間が形成される。さらに、ケーシング３６の内部には、光源５２が設けられる。光源５２は、電力を供給されることによって紫外線を含む光を照射する。    【効果】携帯端末に付着した細菌などを殺菌ないし静菌することが可能である。  さらに、殺菌機能を設けたことによる携帯端末用充電器の大型化を抑制することができるので、充電器を持ち運びするのに好適であり、ユーザの利便性が高い。【選択図】図１
2014068484.tif 000002
【特許請求の範囲】
【請求項１】
携帯端末が備える二次電池の充電に用いられる携帯端末用充電器であって、
前記二次電池に電力を供給するための送電部を有するクレイドル、
前記クレイドルの上側に設けられ、上下に伸縮自在にされかつ伸びた時に内部に前記クレイドルに設置した前記携帯端末を収容可能なケーシング、および
前記ケーシングの内部に設けられ、紫外線を含む光を照射する光源を備える、携帯端末用充電器。
【請求項２】
前記ケーシングの側壁の内面側に設けられる反射板をさらに備える、請求項１記載の携帯端末用充電器。
【請求項３】
前記ケーシングの側壁は蛇腹状に形成される、請求項１または２記載の携帯端末用充電器。
【請求項４】
前記ケーシングが前記クレイドルに着脱可能に取り付けられる、請求項１ないし３のいずれかに記載の携帯端末用充電器。
【請求項５】
前記ケーシングの内部に前記携帯端末の厚み方向に所定の間隔を隔てて設けられる一対の支持棒をさらに備え、
前記一対の支持棒は、前記クレイドルに前記携帯端末を設置した時にその携帯端末の外面に接触し、かつ前記ケーシングの内部に前記携帯端末を収容した時にその携帯端末の上側に載置される、請求項１ないし４のいずれかに記載の携帯端末用充電器。
【発明の詳細な説明】
【技術分野】
【０００１】
この発明は携帯端末用充電器に関し、特にたとえば、携帯端末が備える二次電池の充電に用いられる、携帯端末用充電器に関する。
【背景技術】
【０００２】
従来のこの種の携帯端末用充電器の一例が特許文献１に開示される。特許文献１の技術は、充電機能と共に携帯電話の消臭機能を有する充電器に関し、この充電器は、携帯電話の下半部を収容するトップカバーを備える。トップカバー内には、携帯電話の充電端子に接続される充電端子と消臭剤を加圧状態で収納する消臭剤収納部とが設けられる。そして、充電開始時に、携帯電話の通話時間が所定時間を越えていることが検出された場合には、消臭剤収納部に設けられる噴霧手段を作動させて携帯電話に消臭剤を噴霧するようにしている。
【０００３】
一方、特許文献２には、殺菌機能を備える折り畳み式の携帯端末が開示される。特許文献２の技術では、利用者が操作可能な操作部を表面に有する装置本体と、各種情報を表示するための表示装置とを備え、この表示装置は、装置本体に対して回動可能、かつ装置本体の表面に対向可能に設けられている。そして、表示装置には、紫外線を発光する発光手段が設けられ、筐体の折り畳み時に、表示装置に対向する装置本体の表面に対して発光手段から紫外線を照射するようにしている。
【特許文献１】特開２０１０−１１４１１号公報  [Ｈ０４Ｍ  １／００]
【特許文献２】特開２００６−１５７３８１号公報  [Ｈ０４Ｍ  １／１７]
【発明の概要】
【発明が解決しようとする課題】
【０００４】
近年、パソコンの機能をベースとして作られた多機能携帯電話であるスマートフォン（smart phone）と呼ばれる携帯端末が提供されている。一般的に、スマートフォンは、平
板状のハウジングを備え、その表面側には、タッチパネルを備えるディスプレイが設けられる。ここで、スマートフォン等の携帯端末の操作時には、タッチパネルなどの操作部にユーザの手が触れ、通話時には、マイク周辺にユーザの唾液等がかかる。このため、携帯端末の表面側には、細菌などの微生物が付着し易い。付着した細菌などが繁殖すると不衛生である上、異臭の原因ともなるので、携帯端末に付着した細菌などを殺菌ないし静菌できる技術の必要性が高まっている。
【０００５】
しかしながら、特許文献１の技術では、携帯電話に消臭剤を噴霧することによって携帯電話を消臭するに止まり、携帯端末に付着した細菌などを殺菌ないし静菌することができない。また、消臭剤を携帯端末に吹き掛けるので、付着した消臭剤によって携帯端末の機能に不具合が生じてしまう恐れがある。
【０００６】
また、特許文献２の技術は、携帯電話自体に殺菌機能を備えさせるものである。また、折り畳み式の携帯電話にしか適用できない技術である。
【０００７】
それゆえに、この発明の主たる目的は、新規な、携帯端末用充電器を提供することである。
【０００８】
この発明の他の目的は、携帯端末に付着した細菌などを殺菌ないし静菌できる、携帯端末用充電器を提供することである。
【課題を解決するための手段】
【０００９】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【００１０】
第１の発明は、携帯端末が備える二次電池の充電に用いられる携帯端末用充電器であって、二次電池に電力を供給するための送電部を有するクレイドル、クレイドルの上側に設けられ、上下に伸縮自在にされかつ伸びた時に携帯端末を内部に収容可能なケーシング、およびケーシングの内部に設けられ、紫外線を含む光を照射する光源を備える、携帯端末用充電器である。
【００１１】
第１の発明では、携帯端末用充電器（１０）は、携帯端末（１２）が備える二次電池（２０）の充電に用いられる充電器であり、充電機能に加えて、携帯端末を殺菌ないし静菌する機能を有するものである。携帯端末用充電器は、クレイドル（３０）およびケーシング（３６）を備えている。クレイドルは、二次電池に電力を供給するための送電部（３４）を有しており、クレイドルに携帯端末が設置されると、充電器から携帯端末の二次電池に給電される。また、ケーシングは、上下に伸縮自在な中空箱状に形成され、クレイドルの上部に設けられる。そして、ケーシングを上下に伸ばした状態では、ケーシングの内部にクレイドルに設置した携帯端末を収容可能な空間が形成される。携帯端末を収容可能な空間が形成される。さらに、ケーシングの内部には、光源（５２）が設けられる。光源は、電力を供給されることによって紫外線を含む光を照射して、携帯端末の外面に付着した細菌などを殺菌ないし静菌する。
【００１２】
第１の発明によれば、携帯端末に付着した細菌などを殺菌ないし静菌することが可能である。
【００１３】
さらに、殺菌機能を設けたことによる携帯端末用充電器の大型化を抑制することができるので、充電器を持ち運びするのに好適であり、ユーザの利便性が高い。
【００１４】
第２の発明は、第１の発明に従属し、ケーシングの側壁の内面側に設けられる反射板をさらに備える。
【００１５】
第２の発明では、ケーシング（３６）の側壁（４２）の内面は、反射板（５０）によって覆われている。反射板は、紫外線を吸収しない素材によって薄膜状に形成され、光源（５２）から光が照射された時に、その光を反射させてケーシングの内部で拡散させる。
【００１６】
第３の発明は、第１または２の発明に従属し、ケーシングの側壁は蛇腹状に形成される。
【００１７】
第３の発明では、ケーシング（３６）は、上下に伸縮自在な側壁（４２）を有し、この側壁は軸方向の全長に亘って凹凸が交互に形成された蛇腹形状に形成されている。そして、この側壁を上下に伸縮させることによって、ケーシングを伸ばしたり縮めたりすることが可能である。
【００１８】
第４の発明は、第１ないし３のいずれかの発明に従属し、ケーシングが着脱可能にクレイドルに取り付けられる。
【００１９】
第４の発明では、ケーシング（３６）は、クレイドル（３０）に着脱可能に取り付けられる。たとえば、ケーシングの下側には、装着部（４４）が設けられ、この装着部の内部にクレイドルの天面および側面を嵌め込むことによって、ケーシングがクレイドルの上部に取り付けられる。
【００２０】
第４の発明によれば、携帯端末（１２）の充電作業のみを行う場合に、ケーシングをクレイドルから取り外して、クレイドルのみを使用すればよい。すなわち、携帯端末用充電器の利用方法を用途に応じて適宜選択できるので、ユーザの利便性がさらに向上される。
【００２１】
第５の発明は、第１ないし４のいずれかの発明に従属し、ケーシングの内部に携帯端末の厚み方向に所定の間隔を隔てて設けられる一対の支持棒をさらに備え、一対の支持棒は、クレイドルに携帯端末を設置した時にその携帯端末の外面に接触し、かつケーシングの内部に携帯端末を収容した時にその携帯端末の上側に載置される。
【００２２】
第５の発明では、ケーシング（３６）の内部には、一対の支持棒（８２）が設けられる。一対の支持棒は、ケーシングの内部に携帯端末（１２）を挿入した時に各支持棒がたとえば変形した状態で携帯端末の外面に接触しつつ、ケーシングの内部に携帯端末を収容した時に携帯端末の天面の上側に載置できるように、携帯端末の厚み方向に所定の間隔を隔てて配置される。このような携帯端末用充電器（１０）では、たとえば、クレイドル（３０）に携帯端末を設置したままケーシングを伸ばすと、支持棒が携帯端末の下部の外面に接触したまま上方に移動し、支持棒によって携帯端末の外面の汚れや埃等を拭き取ることができる。そして、そのまま携帯端末をケーシングの内部に収容して、支持棒を携帯端末の上側に載置させると、支持棒が携帯端末に係止されることにより、ケーシングを上下に伸ばして自立させた状態を保持することが可能になる。
【００２３】
第５の発明によれば、ケーシングをより薄くかつより軟質な素材によって形成することが可能になるため、ケーシングをより小型化させることができる。さらに、携帯端末の表面の汚れや埃等を支持棒によって拭き取るようにすれば、携帯端末に付着した細菌などをより効果的に殺菌ないし静菌することができる。
【発明の効果】
【００２４】
この発明によれば、携帯端末用充電器が充電機能に加えて、携帯端末を殺菌ないし静菌する機能を有しているため、携帯端末の充電作業を行うとともに、携帯端末に付着した細菌などを殺菌ないし静菌することが可能である。
【００２５】
この発明の上述の目的，その他の目的，特徴および利点は、図面を参照して行う以下の実施例の詳細な説明から一層明らかとなろう。
【図面の簡単な説明】
【００２６】
【図１】この発明の一実施例の携帯端末用充電器に携帯端末を設置した様子を示す斜視図である。
【図２】図１の携帯端末を示す斜視図である。
【図３】図１の携帯端末用充電器の内部構造を示す平面図である。
【図４】図１の携帯端末用充電器の内部構造を示す平面図である。
【図５】ケーシングを縮めた状態の携帯端末用充電器を示す斜視図である。
【図６】図５の携帯端末用充電器の内部構造を示す平面図である。
【図７】クレイドルの内部の電気的な構成の一例を示すブロック図である。
【図８】図５の携帯端末用充電器に携帯端末を設置する様子を示す図解図である。
【図９】ケーシングをクレイドルから取り外した様子を示す図解図である。
【図１０】図９のクレイドルに携帯端末を設置した様子を示す斜視図である。
【図１１】この発明の別の実施例の携帯端末用充電器の内部構造を示す平面図である。
【図１２】図１０の携帯端末用充電器の内部構造を示す平面図である。
【図１３】ケーシングを縮めた状態の携帯端末用充電器を示す斜視図である。
【図１４】この発明のさらに別の実施例の携帯端末用充電器の内部構造を示す平面図である。
【図１５】図１４の携帯端末用充電器に携帯端末を設置した様子を示す図解図である。
【図１６】この発明のさらに別の実施例の携帯端末用充電器に携帯端末を設置した様子を示す図解図である。
【図１７】この発明のさらに別の実施例の携帯端末用充電器の内部構造を示す平面図である。
【図１８】図１７の携帯端末用充電器のケーシングの内部に携帯端末を収容する様子を示す図解図である。
【発明を実施するための形態】
【００２７】
図１および図２を参照して、この発明の一実施例である携帯端末用充電器（以下、単に「充電器」という。）１０は、携帯端末１２が備える二次電池２０の充電に用いられる充電器であり、特にスマートフォン（smart phone）用の充電器として好適に使用される。詳細は後に説明するように、充電器１０は、充電機能に加えて、携帯端末１２を殺菌ないし静菌する機能を有するものである。
【００２８】
なお、この発明は、従来のフィーチャフォン（feature phone）、タブレット端末およびＰＤＡ等の任意の携帯端末が備える二次電池を充電するための充電器にも適用できることを予め指摘しておく。
【００２９】
先ず、充電器１０の具体的な説明に先立って、携帯端末１２の概要について説明しておく。
【００３０】
図２に示すように、携帯端末１２は、一例としてスマートフォンであり、縦長の扁平矩形の筐体１４を備えている。筐体１４の表面側には、液晶や有機ＥＬなどのディスプレイ１６が設けられ、ディスプレイ１６の上には、操作部として機能するタッチパネル１８が設けられる。また、筐体１４の縦方向一方端には、スピーカ（図示せず）が内蔵され、ハウジングの縦方向他端には、マイク（図示せず）が内蔵される。ユーザは、指先などを用いてタッチパネル１８の表面に対してタッチ操作を行うことによって、携帯端末１２に操作情報を入力することができる。また、スピーカおよびマイク等を利用して、音声通話などを実行できる。
【００３１】
さらに、携帯端末１２は、リチウムイオン電池などの二次電池２０を備えており、詳細は後に説明するように、充電器１０のコネクタ３４から供給された電力を充電端子２２によって受信して二次電池２０に蓄える。たとえば、充電端子２２は、充電器１０のコネクタ３４を接続するためのメス端子であって、筐体１４の底面の所定位置に設けられる。
【００３２】
以下に、このような携帯端末１２を前提にして、必要に応じてそれらを援用しながら、本発明の実施例または実施形態について説明する。
【００３３】
充電器１０は、図３および図４に示すように、クレイドル（本体）３０を備えており、このクレイドル３０に携帯端末１２が設置されると、携帯端末１２の充電が開始される。
【００３４】
クレイドル３０は、ポリ塩化ビニル、ポリプロピレンおよびポリカーボネート等の合成樹脂などの適宜な材質によって矩形の中空箱状に形成され、その天面には、携帯端末１２の下端部の形状に対応した窪み３２が設けられる。窪み３２の底部には、クレイドル３０の内部から突き出すように（露出して）コネクタ３４が設けられており、このコネクタ３４が携帯端末１２への送電部として機能する。すなわち、コネクタ３４と上述した携帯端末１２の充電端子２２とが接続されると、充電器１０から携帯端末１２の二次電池２０に給電されることとなる。
【００３５】
さらに、クレイドル３０の上部には、ケーシング３６が設けられる。ケーシング３６は、上部ケーシング３８、下部ケーシング４０および易伸縮部（側壁）４２を組み合わせることによって全体として中空箱状に形成され、後述する装着部４４を介してクレイドル３０の上部に取り外し可能に固定される。
【００３６】
上部ケーシング３８は、ポリ塩化ビニル、ポリプロピレンおよびポリカーボネート等の合成樹脂などの適宜な材質からなり、下方が開放された中空矩形状に形成される。上部ケーシング３８の天面には、開口が形成される。そして、その開口には、ヒンジ等の接続部を介して蓋４６が設けられ、開口は、蓋４６によって開閉可能に覆われている。
【００３７】
また、下部ケーシング４０は、ポリ塩化ビニル、ポリプロピレンおよびポリカーボネート等の合成樹脂などの適宜な材質からなり、上部ケーシング３８に対応した形状を有しており、上方が開放された中空矩形状に形成される。下部ケーシング４０の底面には、開口４８が形成されている。そして、クレイドル３０への携帯端末１２の設置時には、ケーシング３６の内部に収容した携帯端末１２の下端部をこの開口４８に挿通させて、携帯端末１２の充電端子２２をコネクタ３４に接続させる。ただし、この開口４８にコネクタ３４を挿通させて、そのコネクタ３４を携帯端末１２の充電端子２２に接続させるようにしてもよい。
【００３８】
さらに、易伸縮部４２は、ポリエチレン等の合成樹脂などによって断面が扁平円形若しくは長方形の筒状に形成される。易伸縮部４２は、軸方向の全長に亘って凹凸が交互に形成された蛇腹形状を有しており、上下に伸縮自在なようにされていて、その軸方向の両端部が上部ケーシング３８の天面の下側面および下部ケーシング４０の底面の上側面にそれぞれ固定される。すなわち、易伸縮部４２を上下に伸縮させることによって、ケーシング３６を上下に伸ばしたり縮めたりすることが可能である。
【００３９】
具体的には、ケーシング３６の易伸縮部４２を伸ばして（展開して）、上部ケーシング３８と下部ケーシング４０とを上下に最大限離間させた第１状態では、ケーシング３６の内部空間はその内部に携帯端末１２がちょうど収まる大きさおよび形状となり、ケーシング３６の内部に携帯端末１２を収容可能な空間が形成される。ただし、ここで言う携帯端末１２の大きさおよび形状とは、携帯端末１２にケース等を装着している状態を含む概念であることに留意されたい。一方、図５および図６に示すように、ケーシング３６の易伸縮部４２を縮ませて（折り畳んで）、上部ケーシング３８と下部ケーシング４０とを上下に接触させた第２状態では、上部ケーシング３８および下部ケーシング４０の内部に易伸縮部４２が収容されることとなる。
【００４０】
なお、図示は省略するが、上部ケーシング３８および下部ケーシング４０に互いに嵌合し合う嵌合部をそれぞれ設け、ケーシング３６の易伸縮部４２を縮ませて上部ケーシング３８と下部ケーシング４０とを上下に接触させた時に嵌合部どうしを嵌合させて、上部ケーシング３８と下部ケーシング４０とを連結させるようにしてもよい。ただし、上部ケーシング３８と下部ケーシング４０との連結構造は、必ずしも嵌合部どうしの嵌合に限定される必要はなく、係止、係合などの適宜な連結構造を採用することが可能である。
【００４１】
さらに、図３および図４に戻って、易伸縮部４２の内面側は、反射板５０によって覆われている。反射板５０は、後述する光源５２から照射された光を反射させてケーシング３６の内部で拡散させるためのものであり、アルミニウム、ステンレス等の紫外線を吸収しない素材によって薄膜状に形成される。反射板５０は、易伸縮部４２の内面側に貼り付けられ、易伸縮部４２の伸縮に合わせて変形する。
【００４２】
また、易伸縮部４２の内部には、光源５２が設けられる。光源５２は、携帯端末１２の外面に付着した細菌などを殺菌ないし静菌する殺菌手段として機能し、後述する電源６２から電力が供給されることによって、紫外線を含む光を照射する。光源５２としては、たとえば３５０−４００ｎｍの紫外線を照射するＵＶ-ＬＥＤ（たとえば、ＤＯＷＡエレクトロニクス株式会社製のＵＶ-ＬＥＤ）を用いるとよいが、紫外線を含む光を照射できるものであれば、特に限定されない。
【００４３】
たとえば、この実施例では、光源５２は細長い円柱形状を有しており、上部ケーシング３８の天面の下側および下部ケーシング４０の底面の上側にそれぞれ２つの光源５２が配置される。２つの光源５２は、ケーシング３６の内部に携帯端末１２を収容した時にその携帯端末１２を間に挟み込むように配置され、上部ケーシング３８の天面の幅方向（長手方向）に沿って奥行き方向（携帯端末１２の厚み方向）の両側に配置されるとともに、下部ケーシング４０の底面の幅方向に沿って奥行き方向の両側に配置される。そして、各光源５２どうしがリード線５４（第１リード線）によって電気的に接続されている。
【００４４】
また、各光源５２に接続されたリード線５４は、易伸縮部４２および下部ケーシング４０を経てケーシング３６の外側に延出し、リード線（第２リード線）５６に電気的に接続される。リード線５６は、ケーシング３６の外側でクレイドル３０に向けて延び、その先端には、オス端子であるプラグ５８が形成される。そして、このリード線５６のプラグ５８が、クレイドル３０の側面に形成されたジャック６０に差し込み接続される。
【００４５】
さらに、上述したように、ケーシング３６の下側には、装着部４４が設けられている。装着部４４は、ポリ塩化ビニル、ポリプロピレンおよびポリカーボネート等の合成樹脂などの適宜な材質からなり、下方が開放された中空矩形状に形成される。装着部４４は、ケーシング３６を着脱可能にクレイドル３０に取り付けるための接合部として機能し、その天面および側面がクレイドル３０の天面および側面に沿う形状を有している。そして、装着部４４の内部にクレイドル３０を嵌め込むことによって、ケーシング３６がクレイドル３０の上部に取り付けられる。
【００４６】
また、図３および図４に示すように、クレイドル３０の内部には、電源６２、および給電制御部（マイクロコンピュータ）６４が設けられる。さらに、図７のブロック図には、クレイドル３０の内部の電気的な構成の一例が示される。なお、このブロック図では、信号および通信の流れを破線矢印で示し、電気の供給を実線矢印で示すようにしている。
【００４７】
電源６２としては、リチウムイオン電池、ニッケル水素電池およびニッケルカドミウム電池などの蓄電池を用いるとよいが、これに限定されず、マンガン乾電池、アルカリマンガン乾電池およびオキシライド乾電池などの一次電池を電源６２として用いるようにしてもよいし、外部電源から供給された交流電力をＡＣアダプタ等によって直流電力に変換して利用するようにしてもよい。たとえば、この実施例では、３つの蓄電池がクレイドル３０の内部の所定位置に奥行き方向に並べて設けられ、この蓄電池に蓄えた電力が給電制御部６４を介してコネクタ３４に供給される。
【００４８】
また、給電制御部６４は、クレイドル３０の内部の所定位置に設けられて、電源６２およびコネクタ３４に電気的に接続され、電源６２からコネクタ３４への給電を制御する第１給電制御手段として機能する。すなわち、クレイドル３０のコネクタ３４に携帯端末１２の充電端子２２が接続されたこと（信号）が検出されると、給電制御部６４からの指令に基づいて、電源６２からリード線（第３リード線）６６を介してコネクタ３４へ電力供給が開始される。そして、携帯端末１２の二次電池２０が満充電（つまり、充電が完了した状態）になったことが検出されたり、携帯端末１２の充電端子２２がクレイドル３０のコネクタ３４から取り出されたこと（信号）が検出されたりすると、コネクタ３４への電力供給が自動的に停止される。
【００４９】
さらに、給電制御部６４は、リード線（第４リード線）６８によってジャック６０とも電気的に接続され、電源６２から光源５２への給電を制御する第２給電制御手段としても機能する。具体的には、電源６２に蓄えられた電力は、給電制御部６４およびリード線６８を介して上述したジャック６０に供給され、さらに、そのジャック６０に差し込み接続されたプラグ５８およびリード線５４，５６を通って光源５２に供給される。また、クレイドル３０の側面には、電源６２に蓄えた電力の光源５２への給電をＯＮ／ＯＦＦ操作するためのスイッチ７０が設けられる。たとえば、この実施例では、スイッチ７０は、たとえばディップスイッチ、またはロータリースイッチ等であり、クレイドル３０の側面から外部に突き出すように設けられ、給電制御部６４と電気的に接続されている。
【００５０】
すなわち、ユーザがスイッチ７０をＯＮ操作すると、給電制御部６４からの指令に基づいて、電源６２からリード線５６，６８を介して上述した光源５２へ電力供給が開始される。そして、ユーザがスイッチ７０をＯＦＦ操作し、または給電制御部６４に内蔵されたタイマ７２で所定時間が経過したことが検出されると、光源５２への電力供給が自動的に停止される。
【００５１】
さらにまた、図示は省略するが、加熱殺菌中であることは、クレイドル３０の側面などに設けたＬＥＤ表示器（図示ぜず）を点灯させること等によって、ユーザに知らせるとよい。加熱殺菌中であることを報知するＬＥＤ表示器は、表示色を変える等して、携帯端末１２の二次電池２０が充電中であることを報知するＬＥＤ表示器と兼用するとよい。
【００５２】
このような充電器１０は、図５に示すように、ケーシング３６の易伸縮部４２を縮ませて、上部ケーシング３８と下部ケーシング４０とを上下に接触（若しくは連結）させた第２状態でユーザによって持ち運びされる。そして、充電器１０の使用時に、携帯端末１２の充電作業に加えて、殺菌ないし静菌する作業を行う場合には、先ず、図８（ａ）に示すように、上部ケーシング３８の蓋４６を開けて、上部ケーシング３８の開口からケーシング３６の内部に携帯端末１２を挿入し、クレイドル３０に携帯端末１２を設置して、コネクタ３４を携帯端末１２の充電端子２２に接続する。すると、電源６２から携帯端末１２の二次電池２０への充電が開始される。
【００５３】
それから、図８（ｂ）に示すように、ケーシング３６の易伸縮部４２を伸ばして、携帯端末１２をケーシング３６の内部に収容し、上部ケーシング３８の蓋４６を閉じて、スイッチ７０をＯＮ操作する。すると、電源６２から供給された電力が光源５２にも供給され、光源５２から紫外線を含む光が照射される。光源５２から照射された光は、ケーシング３６の内部で反射板５０で反射することによって、ケーシング３６の内部の全体に拡散され、その光を受けた携帯端末１２の外面（表面、裏面）に付着した細菌などが酸化分解される。このとき、悪臭の原因となる有機化合物も酸化分解するので、消臭効果も期待できる。そして、適宜設定した所定時間が経過すると、またはユーザがスイッチ７０をＯＦＦ操作すると、光源５２への電力供給が停止され、紫外線を含む光による殺菌および消臭動作が終了される。
【００５４】
一方、充電器１０の使用時に、携帯端末１２の充電作業のみを行う場合には、図９に示すように、リード線５６のプラグ５８をクレイドル３０のジャック６０から抜いて外すとともに、装着部４４をクレイドル３０の天面および側面から取り外すことによって、ケーシング３６をクレイドル３０から取り外し、クレイドル３０のみを使用するようにする。そして、図１０に示すように、クレイドル３０に携帯端末１２を設置して、コネクタ３４を携帯端末１２の充電端子２２に接続すると、電源６２から携帯端末１２の二次電池２０への充電が開始される。
【００５５】
以上のように、この実施例によれば、ケーシング３６の内部に携帯端末１２を収容して、光源５２から紫外線を含む光を照射することによって、ケーシング３６の内部で殺菌および消臭動作を行うようにしている。したがって、携帯端末１２に付着した細菌などを効果的に殺菌ないし静菌することができる。
【００５６】
さらに、上下に伸縮自在なケーシング３６に携帯端末１２を収容するようにしているので、携帯端末１２の殺菌（ないし静菌）作業を行う時以外にはケーシング３６を縮めておくことにより、殺菌機能を設けたことによる充電器１０の大型化を抑制することができる。したがって、充電器１０を持ち運びするのに好適であり、ユーザの利便性が高まる。
【００５７】
さらにまた、この実施例では、ケーシング３６がクレイドル３０から取り外し可能に設けられている。このため、携帯端末１２の充電作業のみを行う場合には、ケーシング３６をクレイドル３０から取り外して、クレイドル３０のみを持ち運ぶようにすればよい。すなわち、この実施例によれば、充電器１０の利用方法を用途に応じて適宜選択できるので、ユーザの利便性がさらに向上される。
【００５８】
次に、図１１および図１２を参照して、充電器１０の他の実施例について説明する。
【００５９】
図１１および図１２に示す実施例では、ケーシング３６の側壁、つまり易伸縮部４２をポリエチレン等の合成樹脂などによって蛇腹状に形成する代わりに、複数のフレーム７４と被覆体７６とを組み合わせて易伸縮部４２を構成している点が、図１の実施例と異なる。
【００６０】
以下、具体的に説明するが、図１に示す実施例と共通する部分については、同じ参照番号を付し、重複する説明は省略ないし簡略化する。このことは、後述する他の実施例についても同様である。
【００６１】
図１１および図１２に示すように、ケーシング３６は、上部ケーシング３８、下部ケーシング４０および易伸縮部４２を組み合わせることによって全体として中空箱状に形成される。
【００６２】
易伸縮部４２は、複数のフレーム７４および被覆体７６からなり、全体として断面扁平円形の筒状に形成される。フレーム７４は、アルミニウム、ステンレス等の紫外線を吸収しない素材からなり、平面視で扁平円形若しくは長方形のリング形状を有している。たとえば、この実施例では、４つのフレーム７４が上下方向に一定の間隔を隔てて並べて配置され、各フレーム７４の外側には、各フレーム７４を被覆する被覆体７６が設けられる。
【００６３】
被覆体７６は、布，ビニール等の柔らかい素材からなり、フレーム７４の外形に沿った筒状に形成される。なお、被覆体７６の内面には、反射板５０が貼り付けられており、その反射板５０の内面に各フレーム７４が固定される。被覆体７６は、その素材特性により、たとえば葛折り状に折り畳んだり上下に伸ばす（伸張させる）ことで、上下方向に伸縮自在である。また、被覆体７６は、上部ケーシング３８の天面の下側面および下部ケーシング４０の底面の上側面にそれぞれ固定される。よって、易伸縮部４２の被覆体７６を上下に伸縮させることによって、ケーシング３６を上下に伸ばしたり縮めたりすることが可能である。
【００６４】
具体的には、ケーシング３６の易伸縮部４２の被覆体７６を上下に伸ばして、上部ケーシング３８と下部ケーシング４０とを上下に最大限離間させた第１状態では、ケーシング３６の内部に携帯端末１２を収容可能な空間が形成される。なお、ケーシング３６の内部に携帯端末１２を収容した状態では、上部ケーシング３８が携帯端末１２の上に載置されることとなる。一方、図１３に示すように、易伸縮部４２の被覆体７６を葛折り状に折り畳んで、上部ケーシング３８と下部ケーシング４０とを上下に接触（若しくは連結）させた第２状態では、上部ケーシング３８および下部ケーシング４０の内部に各フレーム７４および折り曲げた被覆体７６が収容される。
【００６５】
このように、この実施例においても、充電器１０が光源５２を備えているため、携帯端末１２に付着した細菌などを効果的に殺菌ないし静菌することができる。さらに、上下に伸縮自在なケーシング３６の内部に携帯端末１２を収容するようにしているので、殺菌機能を設けたことによる充電器１０の大型化を抑制することが可能である。
【００６６】
なお、この実施例では、易伸縮部４２を複数のフレーム７４と被覆体７６とによって構成したが、これに限定される必要はなく、易伸縮部４２を被覆体７６のみによって構成するようにしてもよい。ただし、この場合には、図１４に示す充電器１０のさらに他の実施例のように、易伸縮部４２の形状や携帯端末１２に対する位置を保持することができるように、ケーシング３６を携帯端末１２に対し固定する受部７８を設けるようにすると好適である。
【００６７】
図１４に示す充電器１０では、ケーシング３６が、上部ケーシング３８、下部ケーシング４０および易伸縮部４２を組み合わせることによって全体として中空箱状に形成される。易伸縮部４２は、被覆体７６からなり、全体として断面扁平円形の筒状に形成される。また、ケーシング３６の上部ケーシング３８の蓋４６の裏面には、受部７８が設けられる。
【００６８】
図１４および図１５に示すように、受部７８は、ポリ塩化ビニル、ポリプロピレンおよびポリカーボネート等の合成樹脂などの適宜な材質からなり、蓋４６の裏面からケーシング３６の内部側に向けて突き出す突起状に形成される。たとえば、受部７８は、蓋４６の裏面に接着剤等で貼り付けるようにしてもよいし、蓋４６と一体的に成形するようにしてもよい。受部７８の先端には、携帯端末１２の厚みと等しいかそれよりもやや大きい幅を有する溝状の凹部８０が形成される。
【００６９】
このような充電器１０の使用時に、携帯端末１２の充電作業に加えて、殺菌（ないし静菌）作業を行う場合には、先ず、上部ケーシング３８の蓋４６を開けて、上部ケーシング３８の開口からケーシング３６の内部に携帯端末１２を挿入し、クレイドル３０に携帯端末１２を設置する。それから、ケーシング３６の易伸縮部４２を伸ばして、携帯端末１２をケーシング３６の内部に収容し、上部ケーシング３８の蓋４６を閉じる。このとき、受部７８の凹部８０に携帯端末１２の上端部を嵌め込むようにする。こうすることにより、ケーシング３６の内部に携帯端末１２を収容した状態で、受部７８が携帯端末１２の上端部に対し固定されるので、ケーシング３６がその形状や位置を保持することが可能になる。
【００７０】
なお、凹部８０を必ずしも携帯端末１２の厚みと等しいかそれよりもやや大きい幅を有する溝状に形成する必要はなく、図１６に示すように、携帯端末１２の上面視の断面形状と略同形状の断面を有する窪み状に形成してもよい。
【００７１】
また、上の説明では、易伸縮部４２を被覆体７６のみによって構成したケーシング３６の内部に受部７８を設けるようにしたが、これに限定される必要はなく、易伸縮部４２を複数のフレーム７４と被覆体７６とによって構成したケーシング３６や、図１に示す実施例の充電器１０のケーシング３６の内部に受部７８を設けるようにしてもよいことは言うまでもない。
【００７２】
さらに、易伸縮部４２を被覆体７６のみによって構成したケーシング３６や、易伸縮部４２を複数のフレーム７４と被覆体７６とによって構成したケーシング３６において、被覆体７６を形状記憶繊維によって形成するなどして、被覆体７６を葛折り状に折り畳み易いように予め加工を施しておくようにしてもよい。こうすることにより、ケーシング３６の内部に被覆体７６（易伸縮部４２）を収容する際の作業性が向上する。
【００７３】
また、被覆体７６を合成樹脂製の薄膜によってコーティングし、その薄膜に被覆体７６を葛折り状に折り畳み易いように加工を施すようにしてもよい。さらに、その薄膜を遮光性材料によって形成して、殺菌時に光源から照射される光がケーシング３６の外部に漏れ出すのを防止するようにしてもよい。
【００７４】
さらにまた、図１７を参照して、充電器１０のさらに他の実施例について説明する。
【００７５】
図１７に示す充電器１０では、ケーシング３６の内部に支持棒８２を設けるようにしている点が、図１の実施例と異なる。以下、具体的に説明するが、図１に示す実施例と共通する部分については、同じ参照番号を付し、重複する説明は省略ないし簡略化する。このことは、後述する他の実施例についても同様である。
【００７６】
図１７に示すように、ケーシング３６は、上部ケーシング３８、下部ケーシング４０および易伸縮部４２を組み合わせることによって全体として中空箱状に形成される。易伸縮部４２は、ポリエチレン等の合成樹脂などによって断面が扁平円形若しくは長方形の筒状に形成され、軸方向の全長に亘って凹凸が交互に形成された蛇腹形状を有しており、上下に伸縮自在なようにされている。
【００７７】
上部ケーシング３８の内部には、支持棒８２が設けられる。支持棒８２は、易伸縮部４２を伸ばして（展開して）ケーシング３６の内部に携帯端末１２を収容した時に、携帯端末１２の天面の上に載置される部位であり、上部ケーシング３８の天面の下側に設けられる。
【００７８】
たとえば、この実施例では、支持棒８２は、和紙やタオル地の布などの柔らかい素材によって細長い円柱形状に形成され、上部ケーシング３８の天面の幅方向（長手方向）に沿うように２つの支持棒８２が配置される。２つの支持棒８２は、携帯端末１２の外面に付着した汚れや埃等を拭き取る拭き取り手段としても機能し、上部ケーシング３８の奥行き方向（つまり、携帯端末１２の厚み方向）に所定の間隔を隔てて配置される。具体的には、この一対の支持棒８２は、上部ケーシング３８の蓋４６を開けてケーシング３６の内部に携帯端末１２を挿入した時に各支持棒８２が奥行き方向の両端側に押し拡げられるか若しくは少し窪むように変形した状態で携帯端末１２の表面および裏面にそれぞれ接触しつつ、ケーシング３６を伸ばしてケーシング３６の内部に携帯端末１２を収容した時に各支持棒８２の形状が復元して携帯端末１２の天面の上側に載置できるように、携帯端末１２の厚みよりも少しだけ小さい間隔を隔てて配置される。
【００７９】
また、易伸縮部４２の内部であってかつ上部ケーシング３８における支持棒８２よりも下側かつ外縁側には、携帯端末１２を間に挟み込むように光源５２がそれぞれ設けられる。さらに、下部ケーシング４０の底面の上側には、奥行き方向の両端に光源５２がそれぞれ設けられる。
【００８０】
このような充電器１０の使用時に、携帯端末１２の充電作業に加えて、殺菌（ないし静菌）作業を行う場合には、図１８（ａ）に示すように、上部ケーシング３８の蓋４６（図示省略）を開けて、上部ケーシング３８の開口からケーシング３６の内部に携帯端末１２を挿入し、クレイドル３０に携帯端末１２を設置する。このとき、携帯端末１２の外形に沿って奥行き方向の両端側に押し拡げられるか若しくは少し窪むように変形した各支持棒８２が、携帯端末１２の下部の外面（表面および裏面）に密着する。それから、図１８（ｂ）に示すように、ケーシング３６の易伸縮部４２を伸ばすと、支持棒８２が携帯端末１２の下部の外面に密着したまま上方に移動し、支持棒８２によって携帯端末１２の外面の汚れや埃等が拭き取られる。そして、そのまま易伸縮部４２を上下に最大限伸ばし、携帯端末１２をケーシング３６の内部に収容して、図１４に示すように、支持棒８２を携帯端末１２の天面の上に載置させる。こうすることにより、ケーシング３６の内部に携帯端末１２を収容した状態で、支持棒８２が携帯端末１２の天面に係止されるので、ケーシング３６を上下に伸ばして自立させた状態を保持することが可能になる。
【００８１】
このように、この実施例によれば、支持棒８２を携帯端末１２の天面の上に係止させることによって、易伸縮部４２を上下に伸ばして自立させた状態を保持することができるので、易伸縮部４２をより薄くかつより軟質な素材によって形成することが可能になる。したがって、易伸縮部４２を縮めた時により小型化させることができ、延いては、ケーシング３６をより小型化させることができるので、ユーザの利便性が向上する。
【００８２】
さらに、この実施例によれば、ケーシング３６を伸ばす時に、携帯端末１２の表面の汚れや埃等を支持棒８２によって拭き取ることができる。したがって、携帯端末１２の表面の汚れや埃等を拭き取った後で、その携帯端末１２に付着した細菌などを殺菌ないし静菌することとなるので、携帯端末１２に付着した細菌などをより効果的に殺菌ないし静菌することができる。
【００８３】
なお、上の説明では、図１に示す実施例の充電器１０のケーシング３６の内部に支持棒８２を設けるようにしたが、これに限定される必要はなく、図１１および図１２に示す実施例の充電器１０のケーシング３６の内部に支持棒８２を設けるようにしてもよいことは言うまでもない。
【００８４】
また、上述の各実施例のいずれにおいても、ケーシング３６の易伸縮部４２（またはそれを形成する被覆体７６）の外面に有機ＥＬなどの薄膜ディスプレイを装着するようにして、当該充電装置による充電状況や殺菌状況を表示したり、あるいはインテリア機能として経時的に変化してもよい模様や携帯端末が受信した画像を表示させるようにしてもよい。
【００８５】
さらにまた、上述の各実施例ではいずれも、充電器１０による携帯端末１２の充電方式として、充電器１０のコネクタ３４と携帯端末１２の充電端子２２とが接触して電気的に接続されるようにして給電する方式を利用したが、これに限定される必要はない。たとえば、電磁誘導型や、磁気共鳴型、電解結合型および電波受信型などのワイヤレス給電（非接触電力伝送）方式や、その他公知の充電方式を適宜利用するようにしてもよい。
【００８６】
さらに、上述の各実施例ではいずれも、電源６２として、リチウムイオン電池、ニッケル水素電池およびニッケルカドミウム電池などの蓄電池を用いるようにしたが、このように、充電器１０が二次電池を内蔵する場合には、充電器１０の表面やケーシング３６の易伸縮部４２（またはそれを形成する被覆体７６）の外面に太陽電池を設けるようにして、その太陽電池から充電器１０の二次電池に充電できるようにしてもよい。
【００８７】
さらにまた、上述の各実施例ではいずれも、携帯端末１２の充電作業に加えて、殺菌ないし静菌する作業を行う場合には、携帯端末１２をクレイドル３０に設置した後で、ユーザがスイッチ７０をＯＮ操作することによって、殺菌ないし静菌する作業を行ったが、これに限定される必要はない。たとえば、クレイドル３０にスイッチ７０を設けずに、携帯端末１２をクレイドル３０に設置して、充電器１０のコネクタ３４と携帯端末１２の充電端子２２とが接続された時に、充電動作と殺菌動作とが連動するようにしてもよい。この場合には、給電制御部６４に内蔵されたタイマ７２で所定時間が経過したことが検出されると、光源５２への電力供給が自動的に停止されるようにするとよい。
【００８８】
さらに、上述の各実施例ではいずれも、ケーシング３６の易伸縮部４２を蛇腹状に形成したり、易伸縮部４２をフレーム７４と被覆体７６とによって構成したり、易伸縮部４２被覆体７６のみで構成したりしたが、これに限定される必要はない。易伸縮部４２を上下に伸縮させることによって、ケーシング３６を上下に伸縮させることが可能な構造であれば、易伸縮部４２に任意の構造を採用することができる。
【００８９】
なお、上で挙げた寸法や温度などの具体的数値はいずれも単なる一例であり、製品の仕様などの必要に応じて適宜変更可能である。
【符号の説明】
【００９０】
１０  …携帯端末用充電器
１２  …携帯端末
２０  …二次電池
２２  …充電端子
３０  …クレイドル
３４  …コネクタ（送電部）
３６  …ケーシング
４２  …易伸縮部
５０  …反射板
５２  …光源
８２  …支持棒
【図１】
2014068484.tif 000003
【図２】
2014068484.tif 000004
【図３】
2014068484.tif 000005
【図４】
2014068484.tif 000006
【図５】
2014068484.tif 000007
【図６】
2014068484.tif 000008
【図７】
2014068484.tif 000009
【図８】
2014068484.tif 000010
【図９】
2014068484.tif 000011
【図１０】
2014068484.tif 000012
【図１１】
2014068484.tif 000013
【図１２】
2014068484.tif 000014
【図１３】
2014068484.tif 000015
【図１４】
2014068484.tif 000016
【図１５】
2014068484.tif 000017
【図１６】
2014068484.tif 000018
【図１７】
2014068484.tif 000019
【図１８】
2014068484.tif 000020